【手続補正書】
【提出日】平成22年6月29日(2010.6.29)
【手続補正１】
【補正対象書類名】特許請求の範囲
【補正対象項目名】全文
【補正方法】変更
【補正の内容】
【特許請求の範囲】
【請求項１】
画像形成装置に接続され、印刷データを送信する情報処理装置と、ユーザの認証を行う認証サーバと通信するネットワークインタフェース装置であって、
前記情報処理装置から、印刷データを受け付ける受付手段と、
前記受付手段で受け付けた印刷データを、当該印刷データの受け付けにより得られる第１のユーザ識別情報と記憶する記憶手段と、
ユーザ認証するための認証情報の受け付けに応じて、前記認証サーバによるユーザ認証により得られるユーザを識別するための第２のユーザ識別情報に一致する前記第１のユーザ識別情報の印刷データを、前記記憶手段で記憶されている印刷データから取得する第１の取得手段と、
前記認証サーバでユーザ認証を行うことができるか否かを判定する判定手段と、
前記判定手段で認証を行うことができないと判定される場合に、前記受付手段での印刷データの受付に応じて、当該印刷データの受け付けにより得られる第１のユーザ識別情報に一致する前記記憶手段に記憶されている印刷データを取得する第２の取得手段と、
前記第１の取得手段または第２の取得手段で取得した印刷データを前記画像形成装置で印字するために、前記画像形成装置に送信する送信手段と、
を備えることを特徴とするネットワークインタフェース装置。
【請求項２】
前記送信手段は、前記判定手段で認証を行うことができないと判定される場合に、前記第２の取得手段で取得した印刷データと、前記受付手段で受け付けた印刷データとを前記画像形成装置に送信することを特徴とする請求項１に記載のネットワークインタフェース装置。
【請求項３】
前記判定手段で認証を行うことができないと判定される場合に、前記受付手段で受け付けた印刷データを削除するか否かを判定する削除判定手段と、
前記削除判定手段で削除すると判定された場合、前記受付手段で受け付けた印刷データを削除する削除手段とを更に備え、
前記削除判定手段で削除しないと判定された場合、前記送信手段は前記第２の取得手段で取得した印刷データと、前記受付手段で受け付けた印刷データとを前記画像形成装置に送信することを特徴とする請求項２に記載のネットワークインタフェース装置。
【請求項４】
前記判定手段は、ユーザ認証するための認証情報の受け付けに応じて、前記認証サーバでユーザ認証を行うことができるか否かを判定することを特徴とする請求項１乃至請求項３のいずれか１項に記載のネットワークインタフェース装置。
【請求項５】
前記認証サーバによるユーザ認証により得られるユーザを識別するための第２のユーザ識別情報を記憶する認証記憶手段を更に備えることを特徴とする請求項１乃至請求項４のいずれか１項に記載のネットワークインタフェース装置。
【請求項６】
前記判定手段で認証を行うことができないと判定される場合に、ユーザ認証するための認証情報の受け付けに応じて、前記認証記憶手段に当該受け付けた認証情報に対応する第２のユーザ識別情報が記憶されているか否かを判定する認証判定手段と、
前記認証判定手段で記憶されていると判定される場合には、当該第２のユーザ識別情報に対応するユーザの印刷データを印刷可能にするべく、当該第２のユーザ識別情報を設定する印刷予約手段を更に備えることを特徴とする請求項５に記載のネットワークインタフェース装置。
【請求項７】
前記送信手段は、前記判定手段で認証を行うことができないと判定される場合に、前記受付手段での印刷データの受付に応じて、当該印刷データの受け付けにより得られる第１のユーザ識別情報が前記印刷予約手段により設定された第２のユーザ識別情報と一致した場合に、第２の取得手段で取得した印刷データを送信し、一致しない場合には前記第２の取得手段で印刷データを取得することなく、前記受付手段で受付けた印刷データを出力することを特徴とする請求項６に記載のネットワークインタフェース装置。
【請求項８】
前記受付手段で受け付けた印刷データは、前記判定手段で認証を行うことができないと判定される場合に削除するか否かの設定を前記情報処理装置に備えるプリンタドライバで設定された印刷データであることを特徴とする請求項１乃至請求項７のいずれか１項に記載のネットワークインタフェース装置。
【請求項９】
前記第２のユーザ識別情報は、記憶媒体に記憶されるユーザ名または、記憶媒体に記憶される記憶媒体識別情報を用いて、前記認証サーバで認証されることによって得られるユーザ名であることを特徴とする請求項１乃至８のいずれか１項に記載のネットワークインタフェース装置。
【請求項１０】
画像形成装置に接続され、印刷データを送信する情報処理装置と、ユーザの認証を行う認証サーバと通信し、印刷データを記憶することが可能な記憶手段を有するネットワークインタフェース装置における印刷制御方法であって、
前記情報処理装置から、印刷データを受け付ける受付工程と、
前記受付手段で受け付けた印刷データと、当該印刷データの受け付けにより得られる第１のユーザ識別情報とを前記記憶手段に記憶する記憶制御工程と、
ユーザ認証するための認証情報の受け付けに応じて、前記認証サーバによるユーザ認証により得られるユーザを識別するための第２のユーザ識別情報に一致する前記第１のユーザ識別情報の印刷データを、前記記憶手段で記憶されている印刷データから取得する第１の取得工程と、
前記認証サーバでユーザ認証を行うことができるか否かを判定する判定工程と、
前記判定手段で認証を行うことができないと判定される場合に、前記受付手段での印刷データの受付に応じて、当該印刷データの受け付けにより得られる第１のユーザ識別情報に一致する前記記憶手段に記憶されている印刷データを取得する第２の取得工程と、
前記第１の取得工程または第２の取得工程で取得した印刷データを前記画像形成装置で印字するために、前記画像形成装置に送信する送信工程と、
を含むことを特徴とする印刷制御方法。
【請求項１１】
画像形成装置に接続され、印刷データを送信する情報処理装置と、ユーザの認証を行う認証サーバと通信するネットワークインタフェース装置で実行可能な印刷制御プログラムであって、
前記ネットワークインタフェース装置を
前記情報処理装置から、印刷データを受け付ける受付手段と、
前記受付手段で受け付けた印刷データを、当該印刷データの受け付けにより得られる第１のユーザ識別情報と記憶する記憶手段と、
ユーザ認証するための認証情報の受け付けに応じて、前記認証サーバによるユーザ認証により得られるユーザを識別するための第２のユーザ識別情報に一致する前記第１のユーザ識別情報の印刷データを、前記記憶手段で記憶されている印刷データから取得する第１の取得手段と、
前記認証サーバでユーザ認証を行うことができるか否かを判定する判定手段と、
前記判定手段で認証を行うことができないと判定される場合に、前記受付手段での印刷データの受付に応じて、当該印刷データの受け付けにより得られる第１のユーザ識別情報に一致する前記記憶手段に記憶されている印刷データを取得する第２の取得手段と、
前記第１の取得手段または第２の取得手段で取得した印刷データを前記画像形成装置で印字するために、前記画像形成装置に送信する送信手段として機能させることを特徴とする印刷制御プログラム。
【請求項１２】
印刷データを送信する情報処理装置と通信可能な画像形成装置であって、
前記情報処理装置から、印刷データを受け付ける受付手段と、
前記受付手段で受け付けた印刷データを、当該印刷データの受け付けにより得られる第１のユーザ識別情報と記憶する記憶手段と、
ユーザ認証するための認証情報の受け付けに応じて、前記認証サーバによるユーザ認証により得られるユーザを識別するための第２のユーザ識別情報に一致する前記第１のユーザ識別情報の印刷データを、前記記憶手段で記憶されている印刷データから取得する第１の取得手段と、
前記認証サーバでユーザ認証を行うことができるか否かを判定する判定手段と、
前記判定手段で認証を行うことができないと判定される場合に、前記受付手段での印刷データの受付に応じて、当該印刷データの受け付けにより得られる第１のユーザ識別情報に一致する前記記憶手段に記憶されている印刷データを取得する第２の取得手段と、
前記第１の取得手段または第２の取得手段で取得した印刷データを印刷する印刷手段と、
を備えることを特徴とする画像形成装置。
【手続補正２】
【補正対象書類名】明細書
【補正対象項目名】０００９
【補正方法】変更
【補正の内容】
【０００９】
そこで、本発明の目的は、例えば認証サーバがダウンするなどの理由により未出力となってしまう蓄積された印刷データを出力させることが可能な仕組みを提供することである。
【手続補正３】
【補正対象書類名】明細書
【補正対象項目名】００１０
【補正方法】変更
【補正の内容】
【００１０】
前述した目的を達成するために第１の発明は、画像形成装置に接続され、印刷データを送信する情報処理装置と、ユーザの認証を行う認証サーバと通信するネットワークインタフェース装置であって、前記情報処理装置から、印刷データを受け付ける受付手段と、
前記受付手段で受け付けた印刷データを、当該印刷データの受け付けにより得られる第１のユーザ識別情報と記憶する記憶手段と、ユーザ認証するための認証情報の受け付けに応じて、前記認証サーバによるユーザ認証により得られるユーザを識別するための第２のユーザ識別情報に一致する前記第１のユーザ識別情報の印刷データを、前記記憶手段で記憶されている印刷データから取得する第１の取得手段と、前記認証サーバでユーザ認証を行うことができるか否かを判定する判定手段と、前記判定手段で認証を行うことができないと判定される場合に、前記受付手段での印刷データの受付に応じて、当該印刷データの受け付けにより得られる第１のユーザ識別情報に一致する前記記憶手段に記憶されている印刷データを取得する第２の取得手段と、前記第１の取得手段または第２の取得手段で取得した印刷データを前記画像形成装置で印字するために、前記画像形成装置に送信する送信手段と、を備えることを特徴とするネットワークインタフェース装置である。
【手続補正４】
【補正対象書類名】明細書
【補正対象項目名】００１１
【補正方法】変更
【補正の内容】
【００１１】
また、前記送信手段は、前記判定手段で認証を行うことができないと判定される場合に、前記第２の取得手段で取得した印刷データと、前記受付手段で受け付けた印刷データとを前記画像形成装置に送信することを特徴とする。
【手続補正５】
【補正対象書類名】明細書
【補正対象項目名】００１２
【補正方法】変更
【補正の内容】
【００１２】
また、前記判定手段で認証を行うことができないと判定される場合に、前記受付手段で受け付けた印刷データを削除するか否かを判定する削除判定手段と、前記削除判定手段で削除すると判定された場合、前記受付手段で受け付けた印刷データを削除する削除手段とを更に備え、前記削除判定手段で削除しないと判定された場合、前記送信手段は前記第２の取得手段で取得した印刷データと、前記受付手段で受け付けた印刷データとを前記画像形成装置に送信することを特徴とする。
【手続補正６】
【補正対象書類名】明細書
【補正対象項目名】００１３
【補正方法】変更
【補正の内容】
【００１３】
また、前記判定手段は、ユーザ認証するための認証情報の受け付けに応じて、前記認証サーバでユーザ認証を行うことができるか否かを判定することを特徴とする。
【手続補正７】
【補正対象書類名】明細書
【補正対象項目名】００１４
【補正方法】変更
【補正の内容】
【００１４】
また、前記認証サーバによるユーザ認証により得られるユーザを識別するための第２のユーザ識別情報を記憶する認証記憶手段を更に備えることを特徴とする。
【手続補正８】
【補正対象書類名】明細書
【補正対象項目名】００１５
【補正方法】変更
【補正の内容】
【００１５】
また、前記判定手段で認証を行うことができないと判定される場合に、ユーザ認証するための認証情報の受け付けに応じて、前記認証記憶手段に当該受け付けた認証情報に対応する第２のユーザ識別情報が記憶されているか否かを判定する認証判定手段と、
前記認証判定手段で記憶されていると判定される場合には、当該第２のユーザ識別情報に対応するユーザの印刷データを印刷可能にするべく、当該第２のユーザ識別情報を設定する印刷予約手段を更に備えることを特徴とする。
【手続補正９】
【補正対象書類名】明細書
【補正対象項目名】００１６
【補正方法】変更
【補正の内容】
【００１６】
また、前記送信手段は、前記判定手段で認証を行うことができないと判定される場合に、前記受付手段での印刷データの受付に応じて、当該印刷データの受け付けにより得られる第１のユーザ識別情報が前記印刷予約手段により設定された第２のユーザ識別情報と一致した場合に、第２の取得手段で取得した印刷データを送信し、一致しない場合には前記第２の取得手段で印刷データを取得することなく、前記受付手段で受付けた印刷データを出力することを特徴とする。
また、前記受付手段で受け付けた印刷データは、前記判定手段で認証を行うことができないと判定される場合に削除するか否かの設定を前記情報処理装置に備えるプリンタドライバで設定された印刷データであることを特徴とする。
また前記第２のユーザ識別情報は、記憶媒体に記憶されるユーザ名または、記憶媒体に記憶される記憶媒体識別情報を用いて、前記認証サーバで認証されることによって得られるユーザ名であることを特徴とする。
【手続補正１０】
【補正対象書類名】明細書
【補正対象項目名】００１７
【補正方法】変更
【補正の内容】
【００１７】
第２の発明は、画像形成装置に接続され、印刷データを送信する情報処理装置と、ユーザの認証を行う認証サーバと通信し、印刷データを記憶することが可能な記憶手段を有するネットワークインタフェース装置における印刷制御方法であって、前記情報処理装置から、印刷データを受け付ける受付工程と、前記受付手段で受け付けた印刷データと、当該印刷データの受け付けにより得られる第１のユーザ識別情報とを前記記憶手段に記憶する記憶制御工程と、ユーザ認証するための認証情報の受け付けに応じて、前記認証サーバによるユーザ認証により得られるユーザを識別するための第２のユーザ識別情報に一致する前記第１のユーザ識別情報の印刷データを、前記記憶手段で記憶されている印刷データから取得する第１の取得工程と、前記認証サーバでユーザ認証を行うことができるか否かを判定する判定工程と、前記判定手段で認証を行うことができないと判定される場合に、前記受付手段での印刷データの受付に応じて、当該印刷データの受け付けにより得られる第１のユーザ識別情報に一致する前記記憶手段に記憶されている印刷データを取得する第２の取得工程と、前記第１の取得工程または第２の取得工程で取得した印刷データを前記画像形成装置で印字するために、前記画像形成装置に送信する送信工程と、を含むことを特徴とする印刷制御方法である。
【手続補正１１】
【補正対象書類名】明細書
【補正対象項目名】００１８
【補正方法】変更
【補正の内容】
【００１８】
第３の発明は、画像形成装置に接続され、印刷データを送信する情報処理装置と、ユーザの認証を行う認証サーバと通信するネットワークインタフェース装置で実行可能な印刷制御プログラムであって、前記ネットワークインタフェース装置を前記情報処理装置から、印刷データを受け付ける受付手段と、前記受付手段で受け付けた印刷データを、当該印刷データの受け付けにより得られる第１のユーザ識別情報と記憶する記憶手段と、ユーザ認証するための認証情報の受け付けに応じて、前記認証サーバによるユーザ認証により得られるユーザを識別するための第２のユーザ識別情報に一致する前記第１のユーザ識別情報の印刷データを、前記記憶手段で記憶されている印刷データから取得する第１の取得手段と、前記認証サーバでユーザ認証を行うことができるか否かを判定する判定手段と、前記判定手段で認証を行うことができないと判定される場合に、前記受付手段での印刷データの受付に応じて、当該印刷データの受け付けにより得られる第１のユーザ識別情報に一致する前記記憶手段に記憶されている印刷データを取得する第２の取得手段と、前記第１の取得手段または第２の取得手段で取得した印刷データを前記画像形成装置で印字するために、前記画像形成装置に送信する送信手段として機能させることを特徴とする印刷制御プログラムである。
【手続補正１２】
【補正対象書類名】明細書
【補正対象項目名】００１９
【補正方法】変更
【補正の内容】
【００１９】
第４の発明は、印刷データを送信する情報処理装置と通信可能な画像形成装置であって、
前記情報処理装置から、印刷データを受け付ける受付手段と、前記受付手段で受け付けた印刷データを、当該印刷データの受け付けにより得られる第１のユーザ識別情報と記憶する記憶手段と、ユーザ認証するための認証情報の受け付けに応じて、前記認証サーバによるユーザ認証により得られるユーザを識別するための第２のユーザ識別情報に一致する前記第１のユーザ識別情報の印刷データを、前記記憶手段で記憶されている印刷データから取得する第１の取得手段と、前記認証サーバでユーザ認証を行うことができるか否かを判定する判定手段と、前記判定手段で認証を行うことができないと判定される場合に、前記受付手段での印刷データの受付に応じて、当該印刷データの受け付けにより得られる第１のユーザ識別情報に一致する前記記憶手段に記憶されている印刷データを取得する第２の取得手段と、前記第１の取得手段または第２の取得手段で取得した印刷データを印刷する印刷手段と、を備えることを特徴とする画像形成装置である。
【手続補正１３】
【補正対象書類名】明細書
【補正対象項目名】００２０
【補正方法】変更
【補正の内容】
【００２０】
本発明によれば、例えば認証サーバがダウンするなどの理由により未出力となってしまう蓄積された印刷データを出力させることが可能な仕組みを提供することが可能になる。